(57)【要約】【課題】投薬用容器に接続するチューブを容易に洗浄することができる投薬用容器を提供する。【解決手段】投薬用容器１は、開閉可能な入口部２１と、薬液を収容可能な薬液収容部１１と、薬液を排出可能な排出部１２と、ノズル１０と、薬液収容部１１と排出部１２の間の境界部分を閉塞し、薬液収容部１１が所定の大きさ以上の力を受けると境界部分を開く薬液閉塞部１５とを備え、ノズルに接続されるチューブ１７を介して患者の胃や腸に薬液を投与する。洗浄液を収容して排出部１２に導入可能な洗浄部１４，１５，１６が排出部１２に連通するように設けられている。洗浄部は、開閉可能な洗浄液入口部１４と、洗浄液を収容可能な洗浄液収容部１５と、洗浄液を排出部１２に導入可能な洗浄液導入部と１４、洗浄液収容部と洗浄液導入部の間の境界部分を閉塞し、洗浄液収容部が所定の大きさ以上の力を受けると境界部分を開く洗浄液閉塞部１６とを備える。【選択図】図４
2020022640.tif 000002
【特許請求の範囲】
【請求項１】
開閉可能な入口部と、
医薬品と液体とを混合した薬液を収容可能な薬液収容部と、
前記薬液収容部に収容された薬液を排出可能な排出部と、
前記排出部に設けられたノズルと、
前記薬液収容部と前記排出部の間の境界部分を閉塞し、前記薬液を収容している前記薬液収容部が所定の大きさ以上の力を受けると前記境界部分を開く薬液閉塞部とを備え、
前記ノズルに接続されるチューブを介して患者の胃や腸に前記薬液を投与する投薬用容器であって、
洗浄液を収容して前記排出部に導入可能な洗浄部が前記排出部に連通するように設けられていることを特徴とする投薬用容器。
【請求項２】
前記洗浄部は、
開閉可能な洗浄液入口部と、
洗浄液を収容可能な洗浄液収容部と、
前記洗浄液収容部に収容された洗浄液を前記排出部に導入可能な洗浄液導入部と、
前記洗浄液収容部と前記洗浄液導入部の間の境界部分を閉塞し、前記洗浄液を収容している前記洗浄液収容部が所定の大きさ以上の力を受けると前記境界部分を開く洗浄液閉塞部とを備えることを特徴とする請求項１に記載の投薬用容器。
【請求項３】
第１シートと、該第１シートと対向する第２シートと、前記第１シートと前記第２シートに間に設けられた中間シートとからなり、
前記入口部と前記薬液収容部と前記排出部は、前記第１シートと前記中間シートの間に形成され、
前記洗浄部は、前記中間シートと前記第２シートの間に形成され、
前記中間シートの下端は、前記ノズルより上流側に位置し、前記排出部と前記洗浄液導入部を連通するように形成され、
前記薬液閉塞部は、前記洗浄液閉塞部よりも前記ノズルから遠い位置にあることを特徴とする請求項２に記載の投薬用容器。
【請求項４】
第１シートと、該第１シートと対向する第２シートと、前記第１シートと前記第２シートに間に設けられ前記第１シートに隣接する第３シートと、前記第１シートと前記第２シートに間に設けられ前記第３シートに隣接する第４シートとからなり、
前記入口部と前記薬液収容部と前記排出部前記入口部とは、前記第１シートと前記第３シートの間に形成され、
前記洗浄部は、前記第２シートと前記第４シートの間に形成され、
前記第３シートの下端と前記第４シートの下端は、前記ノズルより上流側に位置し、前記排出部と前記洗浄液導入部を連通するように形成され、
前記第３シートの下縁部と前記第４シートの下縁部は互いに接合されていることを特徴とする請求項２に記載の投薬用容器。
【請求項５】
第１シートと、該第１シートと対向する第２シートと、前記第１シート又は前記第２シートに隣接する外側シートとからなり、
前記入口部と前記薬液収容部と前記排出部と前記入口部は、前記第１シートと前記第２シートの間に形成され、
前記洗浄部は、前記外側シートと該外側シートに隣接する前記第１シート又は前記第２シートとの間に形成され、
前記外側シートに隣接する前記第１シート又は前記第２シートに、前記排出部に連通する連通口が形成されていることを特徴とする請求項１に記載の投薬用容器。
【請求項６】
前記洗浄部を形成する外側シートの入口部は開口していることを特徴とする請求項５に記載の投薬用容器。
【発明の詳細な説明】
【技術分野】
【０００１】
本発明は投薬用容器に関する。
【背景技術】
【０００２】
嚥下障害等により口から栄養が取れない患者の場合、経鼻胃管、胃瘻、腸瘻等の経管栄養補給法が行われている。このような経管栄養補給法では、ボトルやバッグ（以下、「投薬用容器」という）に栄養剤等の薬液を入れ、チューブを介して胃や腸に投与する。
【０００３】
従来、投薬用容器として、特許文献１には、投薬用容器に収容部とノズルからなる排出部とを備え、収容部と排出部との境界部分を閉塞する閉塞部をさらに備え、収容部に医薬品と液体を収容して、医薬品を崩壊、懸濁させて、収容部に力を加えて閉塞部を開き、収容部内の医薬品と液体の混合物を排出部のノズルを経てチューブに流出することができる投薬用容器が記載されている。
【０００４】
投薬用容器を使用して栄養剤等の薬液を投与した後、投薬用容器は廃棄するが、患者の体内に長期間留置させたチューブは毎回抜いてその状態を確認することができないため、チューブ内の詰まりを防止するべく洗浄したいという看護師などからの要望がある。チューブ内を洗浄するためには、投薬用容器の入口部を開けて湯を入れ、水・お湯や酢などをチューブに通して胃や腸に流し込んだりする必要がある。なお、短期間留置しているのみのチューブについては投薬用容器からチューブを外して注射器でお湯をチューブに注入することができる。しかし、投薬後に投薬用容器を開いたり、チューブを外して注射器を接続するなど、洗浄のための作業が煩わしい。
【０００５】
特許文献２には、バッグ内をすすいで残留試薬を除去するために導管を供給バッグの端部に設けた供給バッグが記載されている。しかし、この供給バッグは、所要量の洗浄液を溜める部分がないため、導管を洗浄液の供給源に接続しなければならないし、洗浄液の貯留タンク等を用意しなければならない等の問題がある。
【先行技術文献】
【特許文献】
【０００６】
【特許文献１】特許第５８７３４８３号明細書
【特許文献２】特許第５４６７１５４号明細書
【発明の概要】
【発明が解決しようとする課題】
【０００７】
本発明は前記従来の問題点に鑑みてなされたもので、投薬用容器に接続するチューブを容易に洗浄することができる投薬用容器を提供することを課題とする。
【課題を解決するための手段】
【０００８】
前記課題を解決するために、本発明は、
開閉可能な入口部と、
医薬品と液体とを混合した薬液を収容可能な薬液収容部と、
前記薬液収容部に収容された薬液を排出可能な排出部と、
前記排出部に設けられたノズルと、
前記薬液収容部と前記排出部の間の境界部分を閉塞し、前記薬液を収容している前記薬液収容部が所定の大きさ以上の力を受けると前記境界部分を開く薬液閉塞部とを備え、
前記ノズルに接続されるチューブを介して患者の胃や腸に前記薬液を投与する投薬用容器であって、
洗浄液を収容して前記排出部に導入可能な洗浄部が前記排出部に連通するように設けられている。
【０００９】
本発明では、投薬用容器の薬液収容部に医薬品と液体を収容し、医薬品を圧潰して薬液とした後、薬液閉塞部を開いて薬液収容部の薬液を排出部から、ノズルに接続したチューブを介して患者の胃又は腸に投与する。薬液の投与を終えると、洗浄部に洗浄液を収容し、該洗浄液を排出部に導入し、排出部のノズルからチューブに流通させて胃又は腸に流し込むことにより、チューブ内を洗浄する。
【００１０】
本発明の好ましい形態では、
前記洗浄部は、
開閉可能な洗浄液入口部と、
洗浄液を収容可能な洗浄液収容部と、
前記洗浄液収容部に収容された洗浄液を前記排出部に導入可能な洗浄液導入部と、
前記洗浄液収容部と前記洗浄液導入部の間の境界部分を閉塞し、前記洗浄液を収容している前記洗浄液収容部が所定の大きさ以上の力を受けると前記境界部分を開く洗浄液閉塞部とを備える。
この形態では、薬液収容部に薬液を収容し、洗浄液収容部に洗浄液を収容しておき、まず薬液閉塞部を開いて薬液収容部の薬液の投与を終えた後、洗浄部の洗浄液閉塞部を開いて洗浄液収容部の洗浄液を洗浄液導入部から排出部に導入し、排出部のノズルからチューブに流通させて、チューブ内を洗浄することができる。
【００１１】
本発明の好ましい形態では、
第１シートと、該第１シートと対向する第２シートと、前記第１シートと前記第２シートに間に設けられた中間シートとからなり、
前記入口部と前記薬液収容部と前記排出部は、前記第１シートと前記中間シートの間に形成され、
前記洗浄部は、前記中間シートと前記第２シートの間に形成され、
前記中間シートの下端は、前記ノズルより上流側に位置し、前記排出部と前記洗浄液導入部を連通するように形成され、
前記薬液閉塞部は、前記洗浄液閉塞部よりも前記ノズルから遠い位置にある。
この形態では、薬液閉塞部が洗浄液閉塞部よりもノズルから遠い位置にあるので、薬液収容部のほうが洗浄液収容部より容量が小さい。このため、投薬用容器の入口部側を折り曲げる等して薬液収容部と洗浄液収容部に同時に外力を加えたとしても、容量の小さい薬液収容部の薬液閉塞部が洗浄液収容部の洗浄液閉塞部より先に破断して開くので、薬液収容部の薬液を先に投与することができる。
【００１２】
本発明の好ましい形態では、
第１シートと、該第１シートと対向する第２シートと、前記第１シートと前記第２シートに間に設けられ前記第１シートに隣接する第３シートと、前記第１シートと前記第２シートに間に設けられ前記第３シートに隣接する第４シートとからなり、
前記入口部と前記薬液収容部と前記排出部前記入口部とは、前記第１シートと前記第３シートの間に形成され、
前記洗浄部は、前記第２シートと前記第４シートの間に形成され、
前記第３シートの下端と前記第４シートの下端は、前記ノズルより上流側に位置し、前記排出部と前記洗浄液導入部を連通するように形成され、
前記第３シートの下縁部と前記第４シートの下縁部は互いに接合されている
この形態では、薬液収容部は第１シートと第３シートの間にあり、洗浄液収容部は第２シートと第４シートの間にあるので、薬液収容部と洗浄液収容部に対して別個に外力を加えることができる。このため、薬液収容部の薬液閉塞部を先に破断して開いて、薬液収容部の薬液投与した後、洗浄液収容部の洗浄液閉塞部を破断して開いて、洗浄液収容部の洗浄液を排出部に導入することができる。
【００１３】
本発明の好ましい形態では、
第１シートと、該第１シートと対向する第２シートと、前記第１シート又は前記第２シートに隣接する外側シートとからなり、
前記入口部と前記薬液収容部と前記排出部と前記入口部は、前記第１シートと前記第２シートの間に形成され、
前記洗浄部は、前記外側シートと該外側シートに隣接する前記第１シート又は前記第２シートとの間に形成され、
前記外側シートに隣接する前記第１シート又は前記第２シートに、前記排出部に連通する連通口が形成されている。
前記洗浄部を形成する外側シートの入口部は開口していてもよい。
この形態では、薬液収容部に薬液を収容し、薬液閉塞部を開いて薬液収容部の薬液の投与を終えた後、洗浄部に洗浄液を入れて、連通孔から排出部に導入し、排出部から洗浄液をチューブに流通させて胃又は腸に流し込むことにより、チューブ内を洗浄することができる。
【発明の効果】
【００１４】
本発明によれば、投薬用容器の薬液収容部に医薬品と液体を収容し、医薬品を圧潰して薬液とした後、薬液閉塞部を開いて薬液収容部の薬液を排出部から、ノズルに接続したチューブを介して患者の胃又は腸に投与することができる。薬液の投与を終えると、洗浄部に洗浄液を収容し、該洗浄液を排出部に導入し、排出部のノズルからチューブに流通させて胃又は腸に流し込むことにより、チューブ内を容易に洗浄することができる。
【図面の簡単な説明】
【００１５】
【図１】本発明の第１実施形態による投薬用容器の部分破断斜視図。
【図２】ノズルの第１実施例（ａ）及び第２実施例（ｂ）を示す断面図。
【図３】図１の投薬用容器の分解斜視図。
【図４】図１の投薬用容器の使用状況を順に示す断面図。
【図５】本発明の投薬用容器を折り曲げて、薬液収容部を押圧することにより、薬液閉塞部を破断する状況（ａ）、及び洗浄液収容部を押圧することにより、洗浄液閉塞部を破断する状況（ｂ）を示す断面図。
【図６】本発明の第２実施形態による投薬用容器の部分破断斜視図。
【図７】図６の投薬用容器の分解斜視図。
【図８】図６の投薬用容器の使用状況を順に示す断面図。
【図９】本発明の第３実施形態による投薬用容器の部分破断斜視図。
【図１０】図９の投薬用容器の分解斜視図。
【図１１】図９の投薬用容器の使用状況を順に示す断面図。
【発明を実施するための形態】
【００１６】
次に、本発明の実施形態を添付図面に従って説明する。以下の実施形態では、説明の便宜上、投薬用容器のノズル側を「下」、ノズルと反対側を「上」と言及する。
【００１７】
＜第１実施形態＞
図１は、本発明の第１実施形態による投薬用容器１を示す。投薬用容器１は、図３に示すように、第１シート２と、該第１シート２と対向する第２シート３と、第１シート２と第２シート３に間に設けられた中間シート４とからなる。第１シート２と第２シート３は同じ矩形の形状を有している。中間シート４は、第１シート２と第２シート３と同じ幅であるが、第１シート２と第２シート３よりも長さが短い矩形の形状を有している。
【００１８】
第１シート２は、両側の縁部２ａ，２ｂの上方の大半部分と上縁部２ｃが中間シート４の一方の面の両側の縁部４ａ，４ｂと上縁部４ｃにそれぞれ接着されている。同様に第２シート３は、両側の縁部３ａ，３ｂの上方の大半部分と上縁部３ｃが中間シート４の他方の面の両側の縁部４ａ，４ｂと上縁部４ｃにそれぞれ接着されている。第１シート２の両側の縁部２ａ，２ｂの下方の残部分と、第２シート３の両側の縁部３ａ，３ｂの下方の残部分とは、互いに接着されている。第１シート２の下縁部２ｄと第２シート３の下縁部３ｄとは、ノズル１０を挟んで互いに接着されている。第１シート２と中間シート４の間には、薬液を収容する薬液収容部１１と排出部１２が形成されている。第２シート３と中間シート４の間には、洗浄液を収容する洗浄液収容部１３と洗浄液導入部１４が形成されている。
【００１９】
３枚のシート２，３，４の外周縁部の接着部は、容易に剥がれないようしっかりと貼り合わせられ、所定の力がかかっても剥がれないようになっている。投薬用容器１の全長は１００ミリメートル〜１７０ミリメートル程度、幅は８０ミリメートル程度である。
【００２０】
３枚のシート２，３，４は、次に述べる要件を満たす素材でできている。第１の要件は、柔らかいという要件である。柔らかさを具体的に述べると、医薬品と温水との混合物が収容されているときその混合物中の医薬品に対して集中的に外力を加えることができる柔らかさである。第２の要件は、高温の温水を収容しても成分が温水の中に溶け出さないという要件である。第３の要件は、色つきの透明および無色透明のうち少なくとも一方に該当するという要件である。
【００２１】
これらの要件を満たすため、本実施形態にかかるシート２，３，４は、３層からなる複合材料である。本実施形態においては、これらの層を、「溶着層」、「密閉層」、および、「強度層」と称する。溶着層は、シート２，３，４同士を貼り合わせる際に溶ける面である。溶着層が溶けることによりシート２，３，４は融着する。本実施形態の場合、この層はポリエチレンを素材としている。密閉層は、水分などの通過を防ぐ層である。本実施形態の場合、この層はポリエチレンテレフタレートを素材としている。強度層は、投薬用容器１にかかる荷重を受ける。本実施形態の場合、この層はナイロンを素材としている。もちろん、シート２，３，４の素材はこのようなものに限定されない。
【００２２】
薬液収容部１１と排出部１２の間の境界部分には、第１シート２と中間シート４を互いに接着することにより薬液閉塞部１５が形成されている。薬液閉塞部１５は、薬液を収容している薬液収容部１１が所定の大きさ以上の力を受けると薬液収容部１１と排出部１２の間の境界部分を破断して開くように形成されている。同様に、洗浄液収容部１３と洗浄液導入部１４の間の境界部分には、第２シート３と中間シート４を互いに接着することにより洗浄液閉塞部１６が形成されている。洗浄液閉塞部１６は、洗浄液を収容している洗浄液収容部１３が所定の大きさ以上の力を受けると洗浄液収容部１４と洗浄液導入部１５の間の境界部分を破断して開くように形成されている。薬液閉塞部１５は、洗浄液閉塞部１６よりもノズル１０から遠い位置にある。
【００２３】
薬液閉塞部１５は、第１シート２と中間シート４を互いに接着することにより形成することが好ましいが、チャックテープでもよい。同様に、洗浄液閉塞部１６は、第２シート３と中間シート４を互いに接着することにより形成することが好ましいが、チャックテープでもよい。シートの接着により薬液閉塞部１５、洗浄液閉塞部１６を形成する場合、第１シート２と中間シート４、第２シート３と中間シート４をそれぞれ公知の方法（例えば、特開２００６−５２０１３号公報、特開２００７−２２２２９２号公報、特開平１１−３７７号公報等参照）で熱融着させる。融着強度は、３枚のシートの外周縁部よりも剥離しやすいように設定する。薬液閉塞部１５の融着強度は、洗浄液閉塞部１６の融着強度より弱くすることで、投薬用容器１の薬液収容部１１と洗浄液収容部１３に同時に外力を加えた場合に、薬液閉塞部１５のほうが洗浄液閉塞部１６よりも先に開くようにしてもよい。
【００２４】
ノズル１０は、図２（ａ）示すように、先細りのテーパ状とし、チューブ１７側のコネクタ１８に差し込んで接続するようになっている。ノズル１０は、図２（ｂ）に示すように、雌コネクタ１９とし、チューブ１７側の雄コネクタ２０をねじ込んで接続するようにしてもよい。雌コネクタ１９と雄コネクタ２０は、ＩＳＯ８０３６９−３に規定されるものである。
【００２５】
第１シート２の上縁部２ｃには、スリットが形成されて入口部２１となっている。同様に、第２シート３の上縁部３ｃには、スリットが形成されて洗浄液入口部２２となっている。第１シート２の入口部２１より下方の内側には溝と突条からなる周知のチャックテープ２３が設けられ、薬液収容部１１を開閉可能にしている。同様に、第２シート３の洗浄液入口部２２より下方の内側にはチャックテープ２４が設けられ、洗浄液収容部１３を開閉可能にしている。排出部１２の底はノズルに向かって傾斜している。投薬容器１の上縁部１ａの中央には吊り孔２５、底縁部１ｂの両側には吊り孔２６が形成されている。
【００２６】
本実施形態の場合、入口部２１のチャックテープ２３及び洗浄液入口部２２のチャックテープ２４は、薬液閉塞部１５及び洗浄液閉塞部１６を構成するチャックテープよりも漏れにくいものとなっている。このように、チャックテープ２３，２４は、入口側からは比較的小さい力で開き、収容部側からは比較的大きい力でないと開かないようになっている。これにより、入口からは容易に収容部に医薬品と液体の混合物を収容できるように、入口側からはチャックテープを開けやすく、一方、収容部に収容されている薬液が漏れにくいように、収容部側からはチャックテープを開けにくくできる。
【００２７】
次に、前記構成の投薬用容器１を使用して簡易懸濁法により投薬を行う場合における投薬用容器１の作用を説明する。
【００２８】
投薬用容器１の薬液閉塞部１５及び洗浄液閉塞部１６がチャックテープの場合、当該チャックテープが閉じていることを確認してから、図４（ａ）に示すように、薬液収容部１１のチャックテープ２３を開き、入口部２１を広げ、図４（ｂ）に示すように、薬液収容部１１に患者の投薬に必要なカプセル剤や錠剤等の医薬品と、常温の水または５５℃の温湯を入れて、チャックテープ２３を閉じる。この状態で、投薬用容器１を所定時間放置し、医薬品を崩壊、懸濁させる。必要に応じて、投薬用容器１を振ったり、外側から外力を加えて医薬品を崩壊させてもよい。次に、洗浄液収容部１３のチャックテープ２４を開き、洗浄液入口部２２を広げ、図４（ｃ）に示すように、洗浄液収容部１３に水、お湯、酢等の洗浄液を入れて、チャックテープ２４を閉じる。
【００２９】
薬液収容部１１の薬液の懸濁中は、ノズル１０を上にして、投薬用容器１をノズル１０側の吊り孔２５を図示しないスタンドのフックに掛けて吊るしてもよい。常温の水で懸濁した場合は、人の体温近くまで加温してもよい。
【００３０】
投薬用容器１の薬液収容部１１の薬液が体温に近い温度になると、図４（ｃ）に示すように、投薬用容器１のノズル１０にチューブ１７のコネクタ１８を接続する。チューブ１７は、患者の経鼻胃管や、胃瘻、腸瘻等であり、胃や腸の中まで達している。
【００３１】
投薬用容器１０がチューブ１７に接続されると、図５（ａ）に示すように、投薬用容器１の上部を折り曲げて握り、薬液収容部１１に外力を加える。これにより、薬液収容部１１内の薬液に圧力がかかり、該圧力により薬液閉塞部１５が剥離して開く。薬液収容部１１に外力を加えたとき、洗浄液収容部１３にも外力が加わるが、薬液閉塞部１５が洗浄液閉塞部１６よりもノズル１０から遠い位置にあって薬液収容部１１のほうが洗浄液収容部１３より容量が小さいため、容量の小さい薬液収容部１１の薬液閉塞部１５が洗浄液収容部１３の洗浄液閉塞部１６より先に破断して開く。この結果、薬液収容部１１の薬液を先に投与することができる。薬液収容部１１の薬液は、図４（ｄ）に示すように、排出部１２と、チューブ１７とを経て、患者の体内の胃や腸に投与される。
【００３２】
薬液の投与が終わると、図５（ｂ）に示すように、再び投薬用容器１の上部を折り曲げて握り、洗浄液収容部１３に外力を加える。これにより、洗浄液収容部１３内の洗浄液に圧力がかかり、該圧力により洗浄液閉塞部１６が剥離して開く。洗浄液収容部１３の洗浄液は、図４（ｅ）に示すように、洗浄液導入部１４から排出部１２を経て、チューブ１７内を通り、チューブ１７内を洗浄しながら患者の体内の胃や腸に流出する。
【００３３】
薬液の投与、チューブの洗浄が終わると、投薬用容器１をチューブ１７から取り外す。用済みの投薬用容器１は廃棄することができる。
【００３４】
＜第２実施形態＞
図６は、本発明の第２実施形態による投薬用容器１Ａを示す。第２実施形態の投薬用容器１Ａは、以下に特記する以外は、第１実施形態の投薬用容器１と実質的に同一であり、対応する部分に同一符号を附して説明を省略する。
【００３５】
投薬用容器１Ａは、図７に示すように、第１シート２と、該第１シート２と対向する第２シート３と、第１シート２と第２シート３の間にあって第１シート２に隣接する第３シート５と、第１シート２と第２シート３の間にあって第２シート３に隣接する第４シート６とからなる。第１シート２と第２シート３は同じ矩形の形状を有している。第３シート５と第４シート６は、第１シート２と第２シート３と同じ幅であるが、第１シート２と第２シート３よりも長さが短い矩形の形状を有している。
【００３６】
第１シート２は、両側の縁部２ａ，２ｂの上方の大半部分と上縁部２ｃが第３シート５の両側の縁部５ａ，５ｂと上縁部５ｃにそれぞれ接着されている。同様に第２シート３は、両側の縁部３ａ，３ｂの上方の大半部分と上縁部３ｃが第４シート６の両側の縁部６ａ，６ｂと上縁部６ｃにそれぞれ接着されている。第１シート２の両側の縁部２ａ，２ｂの下方の残部分と、第２シート３の両側の縁部３ａ，３ｂの下方の残部分とは、互いに接着されている。第１シート２の下縁部２ｄと第２シート３の下縁部３ｄとは、ノズル１０を挟んで互いに接着されている。第３シート５の下縁部５ｄと第４シート６の下縁部６ｄとは、互いに接着されている。第１シート２と第３シート５の間に、薬液を収容する薬液収容部１１と排出部１２が形成されている。第２シート３と第４シート６の間に、洗浄液を収容する洗浄液収容部１３と洗浄液導入部１４が形成されている。
【００３７】
薬液収容部１１と排出部１２の間の境界部分には、薬液閉塞部１５が形成されている。同様に、洗浄液収容部１３と洗浄液導入部１４の間の境界部分には、洗浄液閉塞部１６が形成されている。
【００３８】
第１シート２の上縁部２ｃは、スリットが形成されて入口部２１となっている。同様に、第２シート３の上縁部３ｃには、スリットが形成されて洗浄液入口部２２となっている。第１シート２の入口部２１より下方の内側にはチャックテープ２３が設けられ、薬液収容部１１を開閉可能にしている。同様に、第２シート３の洗浄液入口部２２より下方の内側にはチャックテープ２４が設けられ、洗浄液収容部１３を開閉可能にしている。
【００３９】
次に、前記構成の投薬用容器１Ａを使用して簡易懸濁法により投薬を行う場合における投薬用容器１Ａの作用を説明する。
【００４０】
図８（ａ）に示すように、投薬用容器１Ａの薬液収容部１１のチャックテープ２３を開き、入口部２１を広げ、医薬品と常温の水または５５℃の温湯を入れて、チャックテープ２３を閉じる。次に、洗浄液収容部１３のチャックテープ２４を開き、洗浄液入口部２２を広げ、図８（ｂ）に示すように、洗浄液を入れて、チャックテープ２４を閉じる。
【００４１】
投薬用容器１Ａの薬液収容部１１の薬液が体温に近い温度になると、図８（ｃ）に示すように、投薬用容器１Ａのノズル１０にチューブ１７のコネクタ１８を接続する。
【００４２】
投薬用容器１Ａの薬液収容部１１に外力を加えて、薬液閉塞部１５を開く。薬液収容部１１の薬液は、図８（ｄ）に示すように、排出部１２と、チューブ１７とを経て、患者の体内の胃や腸に投与される。
【００４３】
薬液の投与が終わると、投薬用容器１Ａの洗浄液収容部１３に外力を加えて、洗浄液閉塞部１６を開く。洗浄液収容部１３の洗浄液は、図８（ｅ）に示すように、洗浄液導入部１４から排出部１２を経て、チューブ１７内を通り、チューブ１７内を洗浄しながら患者の体内の胃や腸に流出する。
【００４４】
＜第３実施形態＞
図９は、本発明の第３実施形態による投薬用容器１Ｂを示す。第３実施形態の投薬用容器１Ｂは、以下に特記する以外は、第１実施形態の投薬用容器１と実質的に同一であり、対応する部分に同一符号を附して説明を省略する。
【００４５】
投薬用容器１Ｂは、図１０に示すように、第１シート２と、該第１シート２と対向する第２シート３と、第１シート２又は第２シート３に隣接する外側シート７とからなる。第１シート２と第２シート３は同じ矩形の形状を有している。外側シート７は、第１シート２と第２シート３と同じ幅であるが、第１シート２と第２シート３よりも長さが短い矩形の形状を有している。
【００４６】
第１シート２は、両側の縁部２ａ，２ｂと上縁部２ｃが第２シート３の両側の縁部３ａ，３ｂと上縁部３ｃにそれぞれ接着されている。第１シート２の下縁部２ｄと第２シート３の下縁部３ｄとは、ノズル１０を挟んで互いに接着されている。外側シート７の両側の縁部７ａ，７ｂは、第１シート２の両側の縁部２ａ，２ｂに接着され、外側シート７の下縁部７ｄは、第１シート２の下縁部２ｄと後述する薬液閉塞部１５との間に接着されている。第１シート２と第２シート３の間に、薬液を収容する薬液収容部１１と排出部１２が形成されている。第１シート２と外側シート７の間に、洗浄液を収容する洗浄液収容部１３が形成されている。
【００４７】
薬液収容部１１と排出部１２の間の境界部分には、薬液閉塞部１５が形成されている。薬液閉塞部１５と外側シート７の下縁部７ｄとの間には、排出部１２に連通する連通口２７が形成されている。
【００４８】
第１シート２の上縁部２ａには、スリットが形成されて入口部２１となっている。第１シート２の入口部２１より下方の内側にはチャックテープ２３が設けられ、薬液収容部１１を開閉可能にしている。
【００４９】
次に、前記構成の投薬用容器１Ｂを使用して簡易懸濁法により投薬を行う場合における投薬用容器１の作用を説明する。
【００５０】
図１１（ａ）に示すように、投薬用容器１Ｂのチャックテープ２３を開き、入口部２１を広げ、図１１（ｂ）に示すように、医薬品と常温の水または５５℃の温湯を入れて、チャックテープ２３を閉じる。
【００５１】
投薬用容器１Ｂの薬液収容部１１の薬液が体温に近い温度になると、投薬用容器１Ｂのノズル１０にチューブ１７のコネクタ１８を接続する。
【００５２】
投薬用容器１Ｂの薬液収容部１１に外力を加えて、薬液閉塞部１５を開く。薬液収容部１１の薬液は、図１１（ｃ）に示すように、排出部１２と、チューブ１７とを経て、患者の体内の胃や腸に投与される。
【００５３】
薬液の投与が終わると、図１１（ｄ）に示すように、洗浄液収容部１３の洗浄液入口部２２を広げ、洗浄液収容部１３に洗浄液を入れる。洗浄液収容部１３の洗浄液は、連通口２７から排出部１２を経て、チューブ１７内を通り、チューブ１７内を洗浄しながら患者の体内の胃や腸に流出する。
【００５４】
本発明は以上の実施形態に限らず、特許請求の範囲に記載した発明の範囲内で種々変更することができる。例えば、第１実施形態の第１シートと第２シート、第２実施形態の第１シートと第３シート、第２シートと第４シート、第３実施形態の第１シートと第２シートは、１枚のシートを折って形成してもよい。
【符号の説明】
【００５５】
１，１Ａ，１Ｂ…投薬用容器
２…第１シート
３…第２シート
４…中間シート
５…第３シート
６…第４シート
７…外側シート
１０…ノズル
１１…薬液収容部
１２…排出部
１３…洗浄液収容部（洗浄部）
１４…洗浄液導入部（洗浄部）
１５…薬液閉塞部
１６…洗浄液閉塞部（洗浄部）
１７…チューブ
１８…コネクタ
１９…雌コネクタ
２０…雄コネクタ
２１…入口部
２２…洗浄液入口部
２３…チャックテープ
２４…チャックテープ
２５…吊り孔
２６…吊り孔
２７…連通口
【図１】
2020022640.tif 000003
【図２】
2020022640.tif 000004
【図３】
2020022640.tif 000005
【図４】
2020022640.tif 000006
【図５】
2020022640.tif 000007
【図６】
2020022640.tif 000008
【図７】
2020022640.tif 000009
【図８】
2020022640.tif 000010
【図９】
2020022640.tif 000011
【図１０】
2020022640.tif 000012
【図１１】
2020022640.tif 000013